(57)【要約】【課題】軒樋と呼び樋との接続部分に堆積した落葉等を除去する作業を頻繁に行わなくても、軒樋から呼び樋や竪樋に雨水が流入する状態を長期間保持して、維持管理を容易にすることのできる雨樋の接続部構造を提供する。【解決手段】軒樋１３と呼び樋１５との接続部分１７から、雨樋１２の詰まりよって雨水が溢れ出るのを長期間回避できるようにする雨樋の接続部構造１０であって、軒樋１３と呼び樋１５との接続部分１７の開口１８に、周面に多数の通水孔２０を有するネット状の筒体１９を、上面開口１９ａを軒樋１３の上部開口面１３ａの近傍において当該上部開口面１３ａよりも下方に配置した状態で、嵌め込むように取り付けて構成されている。ネッ状の筒体１９は、多数の通水孔２０を有するネッ状のシート部材２１を、円筒状に丸めて形成されている。【選択図】図１
2009174146.tif 000002
【特許請求の範囲】
【請求項１】
軒樋と呼び樋又は竪樋との接続部分から、雨樋の詰まりよって雨水が溢れ出るのを長期間回避できるようにする雨樋の接続部構造であって、
前記軒樋と前記呼び樋又は前記竪樋との接続部分の開口に、周面に多数の通水孔を有するネット状の筒体を、上面開口を前記軒樋の上部開口面の近傍において当該上部開口面よりも下方に配置した状態で、嵌め込むように取り付けて構成される雨樋の接続部構造。
【請求項２】
前記ネッ状の筒体は、多数の通水孔を有するネット状のシート部材を、円筒状に丸めて形成される請求項１に記載の雨樋の溢出防止構造。
【発明の詳細な説明】
【技術分野】
【０００１】
本発明は、雨樋の接続部構造に関し、特に、軒樋と呼び樋又は竪樋との接続部分から、雨樋の詰まりよって雨水が溢れ出るのを長期間回避できるようにする雨樋の接続部構造に関する。
【背景技術】
【０００２】
雨樋は、例えば建物の軒先部分に沿って横方向に配置される軒樋と、建物の外壁面に沿って縦方向に配置される竪樋と、軒樋と竪樋との連絡部分に配置される呼び樋等からなり、軒部分の屋根を介して流下してきた雨水を軒樋で受領し、受領した雨水を軒樋の排水勾配により呼び樋や竪樋との接続部分に向けて流下させた後に、接続部分の開口を介してパイプ状の呼び樋や竪樋に流入させ、これらの呼び樋や竪樋を介して雨水を例えば地盤面等に設けた排水設備に排除するようにしたものである。
【０００３】
また、軒樋は、雨水や紫外線に強い材料として、例えば塩化ビニル等の樹脂材料からなり、略円弧形や略Ｕ字形の断面形状に形成されるものの他、例えば略矩形や略台形の断面形状を備えるように形成されてより多くの雨水を流下させることができるようにしたものも採用されている。さらに、軒樋は、呼び樋を経ることなく接続部分において竪樋に直接接続される場合もあり、集水器を介在させて呼び樋や竪樋と接続される場合もある。
【０００４】
一方、これらの雨樋では、例えば落葉樹の近傍に建てられた建物に取り付けられたものの場合に、軒樋から接続部分の開口を介して呼び樋や竪樋に多量の落葉やごみ等が流入すると、パイプ状の呼び樋や竪樋が詰まってしまい、雨水を排除できなくなったり、雨水を軒樋から溢れ出させてしまう場合がある。また、パイプ状の呼び樋や竪樋が詰まった際に周面が閉塞され呼び樋や竪樋から落葉やごみを取り除く作業は困難であることから、呼び樋や竪樋に落葉等が流入するのを防止するための技術が種々提案されている（例えば、特許文献１、特許文献２参照）。
【特許文献１】特開２００３−２２７２１０号公報
【特許文献２】特開２００３−２６８９３９号公報
【発明の開示】
【発明が解決しようとする課題】
【０００５】
しかしながら、上記従来の呼び樋や竪樋に落葉等が流入するのを防止する技術では、軒樋と呼び樋や竪樋との接続部分の開口を覆って、左端部足歯、右端部足歯、前側部足歯、後側部足歯、起立整列整風流路板等からなる詰り防止装置や、網状覆体を取り付けものであり、呼び樋や竪樋への落葉等の流入を効果的に阻止できる一方で、これらの詰り防止装置や網状覆体の周囲に落葉等が堆積し易くなるため、堆積した落葉等を頻繁に除去する必要がある。また、軒樋と呼び樋や竪樋との接続部分は建物の軒先部分にあるため、落葉等を除去する作業は高所作業となり、一般の居住者等にとっては維持管理が面倒になると共に、軒樋と呼び樋や竪樋との接続部分に落葉等が堆積したまま長期間放置すると、雨水が軒樋から呼び樋や竪樋に流入し難くなってこれらの接続部分で軒樋から溢れ出やすくなる。
【０００６】
本発明は、このような従来の課題に着目してなされたものであり、軒樋と呼び樋や竪樋との接続部分に堆積した落葉等を除去する作業を頻繁に行わなくても、軒樋から呼び樋や竪樋に雨水が流入する状態を長期間保持して、維持管理を容易にすることのできる雨樋の接続部構造を提供することを目的とする。
【課題を解決するための手段】
【０００７】
本発明は、軒樋と呼び樋又は竪樋との接続部分から、雨樋の詰まりよって雨水が溢れ出るのを長期間回避できるようにする雨樋の接続部構造であって、前記軒樋と前記呼び樋又は前記竪樋との接続部分の開口に、周面に多数の通水孔を有するネット状の筒体を、上面開口を前記軒樋の上部開口面の近傍において当該上部開口面よりも下方に配置した状態で、嵌め込むように取り付けて構成される雨樋の接続部構造を提供することにより、上記目的を達成したものである。
【０００８】
また、本発明の雨樋の溢出防止構造によれば、前記ネット状の筒体は、多数の通水孔を有するネッ状のシート部材を、円筒状に丸めて形成されることが好ましい。
【発明の効果】
【０００９】
本発明の雨樋の接続部構造によれば、軒樋と呼び樋や竪樋との接続部分に堆積した落葉等を除去する作業を頻繁に行わなくても、軒樋から呼び樋や竪樋に雨水が流入する状態を長期間保持して、維持管理を容易にすることができる。
【発明を実施するための最良の形態】
【００１０】
図１及び図２に示す本発明の好ましい一実施形態に係る雨樋の接続部構造１０は、建物として例えば住宅建築物の軒部分の屋根１１の下方に設けられた雨樋１２に、落葉、ゴミ、ホコリ等が堆積した場合でも、雨樋１２によって軒部分の屋根１１から流下してきた雨水を排除する機能を長期間保持して、雨樋１２に堆積した落葉等を除去する作業を軽減することにより、住宅建築物の軒部分の屋根１１が例えば落葉樹の近傍に設けられた場合であっても、雨樋１２の維持管理を容易に行うことができるようにするために採用されたものである。
【００１１】
すなわち、本実施形態では、雨樋１２は、例えば軒部分の屋根１１の軒先１１ａに沿って横方向に配置される軒樋１３と、住宅建築物の外壁面１６に沿って縦方向に配置される竪樋１４と、軒樋１３と竪樋１４との連絡部分に配置される呼び樋１５とを含んでおり、軒部分の屋根１１を介して流下してきた雨水を軒樋１３で受領し、受領した雨水を軒樋１３の排水勾配Ｘにより呼び樋１５との接続部分１７に向けて流下させた後に、接続部分１７の開口１８を介してパイプ状の呼び樋１５や竪樋１４に流入させ、これらの呼び樋１５や竪樋１４を介して雨水を例えば地盤面等に設けた排水設備（図示せず。）に排除するようになっている。
【００１２】
また、本実施形態では、接続部分１７の開口１８を介して軒樋１３からパイプ状の呼び樋１５や竪樋１４に多量の落葉等が流入してこれらが詰まってしまうのを回避するために、軒樋１３と呼び樋１５との接続部分１７にネット状の筒体１９が取り付けられている。本実施形態の接続部構造１０は、落葉等の呼び樋１５への流入を防止するために接続部分１７に取り付けられたネット状の筒体１９の周囲に落葉等が堆積した場合でも、軒樋１３から雨水が呼び樋１５に流入する状態を長期間保持して、接続部分１７の周囲に堆積した落葉等を除去する作業を頻繁に行わなくても良いようにするものである。
【００１３】
そして、本実施形態の雨樋の接続部構造１０は、軒樋１３と呼び樋１５との接続部分１７から、雨樋１２の詰まりよって雨水が溢れ出るのを長期間回避できるようにする接続部構造１０であって、図３にも示すように、軒樋１３と呼び樋１５との接続部分１７の開口１８に、周面に多数の通水孔２０を有するネット状の筒体１９を、上面開口１９ａを軒樋１３の上部開口面１３ａの近傍において当該上部開口面１３ａよりも下方に配置した状態で、嵌め込むように取り付けて構成されている。
【００１４】
本実施形態では、雨樋１２を構成する軒樋１３、呼び樋１５、及び竪樋１４は、雨水や紫外線に強い材料として、例えば塩化ビニル等の樹脂材料からなる公知のものであり、樋持ち金物、受け金物、吊り金物等の適宜の公知の取付け金物（図示せず。）を用いて、住宅建築物の軒部分の構造体や外壁面１６の構造体に強固に支持固定された状態で取り付けられている。
【００１５】
本実施形態では、軒樋１３は、例えば幅が７０〜１５０ｍｍ程度、高さが３０〜１００ｍｍ程度の大きさの略台形の断面形状を有しており、軒部分の屋根１１を介して流下してきた雨水を受領すると共に、受領した雨水を、排水勾配Ｘに沿って接続部分１７に設けられた開口１８に向けて流下させる。また、軒樋１３には、呼び樋１５との接続部分１７に一段低くなった水溜部２２が形成されており、この水溜部２２を挟んだ両側から下りの排水勾配Ｘによって雨水が接続部分１７に流入するようになっいている。さらに、水溜部２２の中央部分には、例えば直径が５０〜１００ｍｍ程度の大きさの円形の開口１８が開口形成されていると共に、この開口１８の周縁部分から下方に突出して接続スリーブ２３が設けられている。この接続スリーブ２３を外側から覆うようにして、呼び樋１５の上端部の継手スリーブ２５が装着されることにより、軒樋１３と呼び樋１５とが、接続部分１７の開口１８を介して連通されることになる。
【００１６】
呼び樋１５は、平行に配置した上端部分１５ａと下端部分１５ｂとの間に斜めに延設する中間部分１５ｃを介在させた、上下２箇所で屈曲する形状を備える円形断面の中空パイプ状の部材であって、上端部分１５ａの上端部に拡径された継手スリーブ２５が設けられている。この継手スリーブ２５を軒樋１３の水溜部２２から下方に突出する接続スリーブ２３に装着することにより、上述のように軒樋１３と呼び樋１５とが連通すると共に、下端部分１５ｂの下端部を外側から覆うようにして、竪樋１４の上端部の継手スリーブ２４が装着されることにより、呼び樋１５と竪樋１４とが連通されることになる。
【００１７】
なお、本実施形態では、軒樋１３と呼び樋１５との接続部分１７の開口１８及び接続スリーブ２３の内径は、呼び樋１５及び竪樋１４の内径よりも僅かに大きくなっており、これによって接続スリーブ２３と、呼び樋１５の継手スリーブ２５との継ぎ手部分では、呼び樋１５の上端部分１５ａと継手スリーブ２５との接合角部分２６が、接続スリーブ２３の下端開口よりも僅かに内側にリング状に突出した状態となっている。このリング状に突出した接合角部分２６には、後述するようにネット状の筒体１９を接続部分１７の開口１８及び接続スリーブ２３に嵌め込むようにして装着する際に、当該筒体１９の下端部が当接して下方から支持されることにより、筒体１９の上面開口１９ａを軒樋１３の上部開口面１３ａの近傍に配置した状態で、筒体１９を容易に取り付けることが可能になる。
【００１８】
竪樋１４は、上端部に継手スリーブ２４が設けられた円形断面の中空パイプ状の部材である。この継手スリーブ２４を呼び樋１５の下端部分１５ｂの下端部に装着することにより、上述のように呼び樋１５と竪樋１４とが連通する。また竪樋１４の下端開口は、例えば地盤面等に設けた排水設備（図示せず。）に対向配置されており、軒樋１３及び呼び樋１５を介して送られてくる雨水をこれらの排水設備に排除することができるようになている。なお、竪樋１４は一本物として取り付けることができる他、複数の単位パイプを上下に連設して設けることもできる。
【００１９】
そして、本実施形態では、軒樋１３と呼び樋１５との接続部分１７の開口１８に、周面に多数の通水孔２０を有するネット状の筒体１９が嵌め込むようにして取り付けられる。本実施形態では、ネット状の筒体１９は、好ましくは多数の通水孔２０を有するネット状のシート部材２１を、円筒状に丸めて形成されている。
【００２０】
ここで、ネット状のシート部材２１は、雨水や紫外線に強い材料として、例えば塩化ビニル等の樹脂材料からなる、例えば手の力で容易に湾曲させることが可能な可撓性を有すると共に、円筒状に丸められた後は、手の力ではその中心軸を湾曲させることが困難な程度の保形剛性を備えている。またネット状のシート部材２１は、例えば横骨及び縦骨を８〜１０ｍｍ程度の網目を有するように縦横に網状（ネット状）に配置してなるものであり、例えば所定の大きさの矩形形状に裁断したシート部材２１を、一対の対向する辺部を重ね合わせるようにして円筒状に丸め込むことにより、周面に多数の通水孔２０を有する円筒形状の筒体１９として容易に形成されることになる。
【００２１】
さらに、ネット状のシート部材２１は、その一対の対向する辺部が、例えば軒樋１３の呼び樋１５との接続部分１７における、接続スリーブ２３の下端から軒樋１３の上部開口面１３ａまでの高さよりも僅かに短い長さとなるように裁断されている。これによって、形成された円筒形状の筒体１９を接続部分１７の開口１８に装着する際に、筒体１９の下端部が呼び樋１５の継手スリーブ２５の接合角部分２６に当接するまで押し込めば、筒体１９は、上面開口１９ａを軒樋１３の上部開口面１３ａの近傍において当該上部開口面１３ａよりも下方に配置した状態で、容易に取り付けられることになる。ここで、軒樋１３の上部開口面１３ａは、いわゆる軒樋１３の溢れ面を意味するものであり、例えば軒樋１３の横断方向両側の側壁部の高さが異なる場合には、これらの側壁部の上端を結んだ面ではなく、雨水が最初に溢れ始める低い方の側壁部の上端の高さと同じ高さの面が、軒樋１３の上部開口面１３ａとなる。
【００２２】
なお、本実施形態では、ネット状の筒体１９を、ネット状のシート部材２１を円筒状に丸めて形成することにより、その製作が容易になると共に、重ね合わされる一対の対向する辺部の重ねしろを調整することにより、接続部分１７の開口１８や接続スリーブ２３の内径に合わせて、形成される筒体１９の外径を適宜調整することが可能になる。また筒体１９を着脱交換する作業を容易に行うことも可能になる。
【００２３】
そして、上述の構成を有する本実施形態の雨樋の接続部構造１０によれば、軒樋１３と呼び樋１５との接続部分１７に堆積した落葉等を除去する作業を頻繁に行わなくても、軒樋１３から呼び樋１５や竪樋１４に雨水が流入する状態を長期間保持して、維持管理を容易に行うことが可能になる。
【００２４】
すなわち、本実施形態によれば、軒樋１３と呼び樋１５との接続部分１７の開口１８に、周面に多数の通水孔２０を有するネット状の筒体１９を、上面開口１９ａを軒樋１３の上部開口面１３ａの近傍において当該上部開口面１３ａよりも下方に配置した状態で、嵌め込むように取り付けて構成されているので、ネット状の筒体１９によって、接続部分１７の開口１８から落葉等がパイプ状の呼び樋１５や竪樋１４に流入してこれらが詰まるのを効果的に回避することが可能になると共に、接続部分１７に設けられた筒体１９の周囲に落葉やごみ等が堆積して筒体１９の下部の通水孔２０が詰り始めても、詰った部分の通水孔２０よりも上方に位置する通水孔２０から雨水を引き続き呼び樋１５に流入させることが可能になる。
【００２５】
また、筒体１９の周囲にさらに落葉やごみ等が堆積して、筒体１９の上部の通水孔２０が詰り始めても、接続部分１７の軒樋１３から雨水が溢れ出る前に、軒樋１３の上部開口面１３ａよりも下方に配置された筒体１９の上面開口１９ａから、雨水を引き続き呼び樋１５に流入させることが可能になる。これらによって、接続部分１７に設けられた筒体１９の通水孔２０が詰り始めても、例えば接続部分１７にネット状の筒体１９を新たに設置し直したり周囲の落葉やごみ等を除去してから６ヶ月〜２４カ月程度の長期間、軒樋１３から雨水が溢れ出ないようにしつつ、呼び樋１５や竪樋１４に雨水が流入する状態を容易に保持することが可能になる。したがって、軒樋１３に堆積した落葉やごみ等を除去する作業を頻繁に行うことを不要にして、維持管理を容易に行うことが可能になる。
【００２６】
なお、本発明は上記実施形態に限定されることなく種々の変更が可能である。例えば、ネット状の筒体は、多数の通水孔を有するシート部材を円筒状に丸めて形成する必要は必ずしもなく、立体形状となるように予め加工形成された筒体であっても良い。また筒体は、円筒状に形成される必要は必ずしもなく、４角形や多角形等の断面形状を有する筒体であっても良い。さらに、本発明の接続部構造は、軒樋と竪樋との接続部分に設けることもでき、当該接続部構造が設けられる接続部分は、軒樋の中間部分の他、軒樋の端部において呼び樋や竪樋と接続する部分であっても良い。さらにまた、軒樋は、略台形の断面形状の他、略矩形や略円弧形の断面形状等を備えていても良く、集水器を介在させて呼び樋や竪樋と接続されるものであっても良い。
【図面の簡単な説明】
【００２７】
【図１】本実施形態の好ましい一実施形態に係る雨樋の接続部構造の構成を説明する要部断面図である。
【図２】本実施形態の好ましい一実施形態に係る雨樋の接続部構造の構成を説明する要部斜視図である。
【図３】本実施形態の好ましい一実施形態に係る雨樋の接続部構造において、ネット状の筒体を装着する状況を説明する要部斜視図である。
【符号の説明】
【００２８】
１０  雨樋の接続部構造
１１  軒部分の屋根
１１ａ  軒先
１２  雨樋
１３  軒樋
１３ａ  軒樋の上部開口面
１４  竪樋
１５  呼び樋
１６  外壁面
１７  接続部分
１８  接続部分の開口
１９  ネット状の筒体
１９ａ  ネット状の筒体の上面開口
２０  通水孔
２１  ネット状のシート部材
２２  水溜部
２３  接続スリーブ
２４，２５  継手スリーブ
２６  接合角部分
Ｘ    排水勾配
【図１】
2009174146.tif 000003
【図２】
2009174146.tif 000004
【図３】
2009174146.tif 000005